(57)【要約】【課題】ゲームやスポーツに関係する業界にも適用でき、会員の消費意欲を向上させることができるようにする。【解決手段】この発明は、会員の所持するポイントカードＣにポイントを与え、そのポイントに応じた特典を会員に提供するポイントカードシステムにおいて、ポイントカードＣから読み取ったポイント情報をそのポイントカードＣの会員識別情報とともにホストコンピュータ３に送信するポイント情報送信手段（２）と、ホストコンピュータ３に送信されたポイント情報に対してランク付けを行うランク付け手段（３）と、ランク付けによるランクを会員識別情報およびポイント情報とともに公表する公表手段（４，５）と、を備えることを特徴としいてる。【選択図】  図１
2004192381.tif 000002
【特許請求の範囲】
【請求項１】
会員の所持するポイントカードにポイント情報を与え、そのポイント情報に応じた特典を会員に提供するポイントカードシステムにおいて、
上記ポイントカードから読み取ったポイント情報をそのポイントカードの会員識別情報とともにホストコンピュータに送信するポイント情報送信手段と、
上記ホストコンピュータに送信されたポイント情報に対してランク付けを行うランク付け手段と、
上記ランク付けによるランクを会員識別情報およびポイント情報とともに公表する公表手段と、
を備えることを特徴とするポイントカードシステム。
【請求項２】
上記ポイント情報は、当該会員がボーリング場でゲームを行い獲得したスコアであり、上記ランク付けはスコアを所定の規約に従って合計して得られた合計スコアを上位から順に並べたものである、請求項１に記載のポイントカードシステム。
【請求項３】
上記公表手段は、インターネット経由で各自の端末に表示し公表する、請求項１に記載のポイントカードシステム。
【請求項４】
上記ランク付けに基づいて会員に特典を付与する、請求項１に記載のポイントカードシステム。
【発明の詳細な説明】
【０００１】
【発明の属する技術分野】
この発明は、会員の所持するポイントカードにポイントを与え、そのポイントに応じた特典を会員に提供するポイントカードシステムに関するものである。
【０００２】
【従来の技術】
近年、会員の所持するポイントカードにポイントを与え、そのポイントに応じた特典を会員に提供するポイントカードシステムが普及しつつある。このポイントカードシステムは、主に店舗と顧客との間で活用され、そのポイントカードには、顧客が店舗内で購入した購入金額に応じたポイントが付与され、顧客は、そのポイントカードに付与されたポイントを次の商品購入時の支払いに使用したり、ポイント数が一定数に達したときそのポイント数に応じたサービスを店側から受けることができるようになっている。
【０００３】
【発明が解決しようとする課題】
ところで、このポイントカードシステムは、会員の消費意欲を向上させるという効果があるため注目されており、上記のような店舗と、その店舗の商品を購入する顧客との間で用いられるだけでなく、それ以外にも例えばゲームやスポーツに関係する業界でも積極的に展開されることが期待されている。
【０００４】
この発明は上記に鑑み提案されたもので、ゲームやスポーツに関係する業界にも適用でき、会員の消費意欲を向上させることができるポイントカードシステムを提供することを目的とする。
【０００５】
【課題を解決するための手段】
上記目的を達成するために、請求項１に記載の発明は、会員の所持するポイントカードにポイントを与え、そのポイントに応じた特典を会員に提供するポイントカードシステムにおいて、上記ポイントカードから読み取ったポイント情報をそのポイントカードの会員識別情報とともにホストコンピュータに送信するポイント情報送信手段と、上記ホストコンピュータに送信されたポイント情報に対してランク付けを行うランク付け手段と、上記ランク付けによるランクを会員識別情報およびポイント情報とともに公表する公表手段と、を備えることを特徴としいてる。
【０００６】
【発明の実施の形態】
以下にこの発明の実施の形態を図面に基づいて詳細に説明する。
【０００７】
図１はこの発明のポイントカードシステムの構成を示す図、図２はポイントカードの記載例を示す図、図３は全国ランキングの発表例を示す図である。
【０００８】
この発明のポイントカードシステムは、会員の所持するポイントカードＣにカードリーダライタ２を用いてポイント情報を与え、そのポイント情報に応じた特典を会員に提供するという通常のシステムをさらに展開させて構成したものである。この発明のポイントカードシステムは、種々のゲームやスポーツに関係する業種に適用できるものであるが、ここではボーリングを行う場合について説明する。
【０００９】
全国に存在するボーリング場１，１，…，１において、競技者がボーリングゲームを行った後、会員登録してある自分専用のポイントカードＣをカードリーダライタ２に装着すると、今回のゲーム結果が、図２に示すように、ポイントカードＣに記録される。そして、所定のゲーム数に達すると、そのポイントカードＣに記録されたポイント情報（各ゲームのスコアおよび累計スコア）が会員識別情報（会員番号）とともに、カードリーダライタ２からインターフェース（図示省略）および通信回線を介してホストコンピュータ３に送信される。
【００１０】
ホストコンピュータ３では、全国各地のボーリング場１から送信されてきたポイント情報を会員番号に対応づけて記憶装置に格納し、所定の競技期間が終了すると、そのポイント情報に対してランク付けを行う。そして、その結果はインターネットを用いてホームページに掲示され公表される。
【００１１】
競技者は各自の端末５，５，…、例えばパソコンや携帯電話を用いてそのホームページを開き閲覧することで、ランク付けの結果を知ることができる。
【００１２】
このランク付けは、例えば図３に示すように、累計スコアが最高得点の者を優勝とし、５０位まで順に配列したものであり、またその順位に応じて賞品が割り当てられている。
【００１３】
なお、上記の例では、この発明をボーリングに適用して説明したが、ゴルフや釣りなど、他の各種ゲームやスポーツに適用してもよい。
【００１４】
また、対象区域を全国としたが、一部の地域に限定するようにしてもよい。また、男女別や年齢別等でランク付けを行うようにしてもよい。さらに、累計スコアでランク付けを行うようにしたが、平均スコアで行うようにしてもよい。
【００１５】
以上述べたように、この発明では、ポイントカードＣから読みとったポイント情報をホストコンピュータに送信し、ランク付けを行い公表するようにしたので、そのゲームや競技を行う者には、それ自体の楽しみの他に、より上位を狙い、賞品を獲得しようという意欲が湧くようになる。このため、ポイントカードの会員は、一層楽しくゲーム等を行うことができ、また消費の向上にも貢献することができる。
【００１６】
【発明の効果】
以上説明したように、この発明のポイントカードシステムでは、ポイントカードから読みとったポイント情報をホストコンピュータに送信し、ランク付けを行い公表するようにしたので、そのゲームや競技を行う者には、それ自体の楽しみの他に、より上位を狙い、賞品を獲得しようという意欲が湧くようになる。このため、ポイントカードの会員は、一層楽しくゲーム等を行うことができ、また消費の向上にも貢献することができる。
【図面の簡単な説明】
【図１】この発明のポイントカードシステムの構成を示す図である。
【図２】ポイントカードの記載例を示す図である。
【図３】全国ランキングの発表例を示す図である。
【符号の説明】
１    ボーリング場
２    カードリーダライタ
３    ホストコンピュータ
４    インターネット
５    端末
Ｃ    ポイントカード
【図１】
2004192381.tif 000003
【図２】
2004192381.tif 000004
【図３】
2004192381.tif 000005